(57)【要約】【課題】物流用容器やパレットの外面に貼り付けられたＩＣタグが重なり合っても、ＩＣタグへの送受信を良好に行うことができ、ＩＣタグへのデータの書き込みやデータの読み取りを行うことを可能とする。【解決手段】無線ＩＣタグ２，３は、ベースシート２１、３１に形成されたアンテナ２２，３２と、アンテナ２２，３２との導通状態でベースシートに設けられたＩＣチップ２３、３３とを備えるパッシブ型である。上下及び左右の方向を同じにした状態で２つのＩＣタグ２，３の表面を重ね合わせたとき、アンテナ２２は相手側のＩＣタグのアンテナ３２と重なり合わないパターンとなるように形成される。ＩＣタグ２，３は、内容物を収納する容器の複数の外面または容器が載置される搬送用のパレットの複数の外面に取り付けられる。
2008029534.tif 000002
【特許請求の範囲】
【請求項１】
ベースシートに形成されたアンテナと、アンテナとの導通状態で前記ベースシートに設けられたＩＣチップとを備えるパッシブ型の無線ＩＣタグであって、
上下及び左右の方向を同じにした状態で２つのＩＣタグの表面を重ね合わせたとき、前記アンテナは相手側のＩＣタグのアンテナと重なり合わないパターンとなるように形成されていることを特徴とする無線ＩＣタグ。
【請求項２】
前記ＩＣタグは、内容物を収納する容器の複数の外面または前記容器が載置される搬送用のパレットの複数の外面に取り付けられることを特徴とする請求の範囲第１項記載の無線ＩＣタグ。
【請求項３】
前記ＩＣタグは、通信周波数帯域がＵＨＦ帯域であることを特徴とする請求の範囲第１項又は第２項記載の無線ＩＣタグ。
【請求項４】
前記アンテナが相手側のＩＣタグのアンテナに囲まれるパターンとなっていることを特徴とする請求の範囲第１項〜第３項のいずれか１項に記載の無線ＩＣタグ。
【請求項５】
前記アンテナがＩＣタグの重ね合わせの中心となる線対称軸に対して非対称のパターンとなっていることを特徴とする請求の範囲第１項〜第３項のいずれか１項に記載の無線ＩＣタグ。
【発明の詳細な説明】
【技術分野】
【０００１】
本発明は、各種データの書き込みや読み出しを非接触で行う無線ＩＣタグに関し、特に物流システムに用いられて製品や部品の検品を行うのに使用される無線ＩＣタグに関する。
【背景技術】
【０００２】
メーカーの物流センターや販売会社の物流センターでは、数多くの製品や部品等を集配する必要があることから、種々の製品や部品等を収納するコンテナや段ボール箱等の物流用容器を用いており、この物流用容器に収納した状態で製品や部品の出荷や納入を行っている。この場合、製品や部品を識別するためのバーコードが個々の製品や部品に貼り付けられており、バーコードリーダーによって個々のバーコードの情報を読み取って検品を行っている。【０００３】
しかしながら、バーコードを用いた検品では、検品担当者が製品や部品に付いているバーコードを個々に読み取る必要があり、検品作業に長時間を要しており、検品作業の省力化を行うことができないものとなっている。これに対し、近年、ＩＣタグを物流用容器の外面に貼り付け、ＩＣタグの情報をリーダー・ライターによって読み取ることにより物流用容器内の製品や部品を検品することが行われている。【０００４】
ＩＣタグは、製品や部品の種類や個数に関する数多くの情報の書き込み及び読み取りが可能である特徴を有しており、この特徴を利用することにより以下の検品システムが可能となる。すなわち、出荷側の物流センターでは、一の物流用容器に収納した製品や部品の情報をＩＣタグに書き込んだ後、ＩＣタグをその物流用容器の外面に貼り付けて出荷すると共に、ＩＣタグに書き込んだ情報を通信ネット等を介して納入側の物流センターに送信する。納入側の物流センターでは、物流用容器を受け取ったとき、物流用容器の外面に貼り付けられているＩＣタグを読み取り、読み取った情報が事前に出荷側の物流センターから送信された情報と一致するか否かの照合を行う。これにより、個々の製品や部品のバーコードを読み取ることなく、物流用容器内の製品や部品の検品を行うことができ、検品作業を効率的に行うことが可能となる。【０００５】
図１２及び図１３は、ＩＣタグを用いて上述の検品を行うための物流用容器１００、１１０をそれぞれ示す。物流用容器１００、１１０は、いずれも容器本体１０５、１１５と、容器本体１０５，１１５の外面に貼り付けられたＩＣタグ２００とを有している。【０００６】
容器本体１０５，１１５はいずれも折り畳みコンテナや段ボール箱からなり、略直方体に形成されている。製品や部品等はこの容器本体１０５，１１５の内部に収納される。図１２に示す物流用容器１００では、容器本体１０５の４側面１０１，１０２，１０３，１０４の外面にＩＣタグ２００が貼り付けられるものであり、各側面１０１，１０２，１０３，１０４における上部の中央部分に取り付けられている。図１３に示す物流用容器１１０では、４側面１１１，１１２，１１３，１１４のそれぞれの面中央部分にＩＣタグ２００が取り付けられている。このようにＩＣタグ２００を容器本体１０５，１１５に取り付けることにより、容器本体１０５，１１５内に収納した製品や部品を個々に検品する作業が不要となる。ここで、物流用容器１００，１１０の検品に際しては、個々の容器本体１０５，１１５に取り付けたＩＣタグ２００の情報が全て同一であることの確認も行われるものである。【０００７】
これらの物流用容器１００，１１０に用いられるＩＣタグ２００としては、特許文献１に記載されるように、無線によってデータの読み取り及び書き換えが可能なＲＡＭタイプが選択される。すなわちこのタイプでは、リーダー・ライターからの電波によってＩＣタグ２００のデータの書き換えが可能であると共に、ＩＣタグ２００からの電波を受信することによってリーダー・ライターを介してＩＣタグ２００内のデータの読み取りが可能となるものであり、繰り返し使用が可能な点で経済的となっている。
【特許文献１】特開２００６−１０６９号公報
【発明の開示】
【発明が解決しようとする課題】
【０００８】
図１２及び図１３のようなＩＣタグ２００の取り付け位置では、複数の物流用容器を並べたときに、ＩＣタグ２００との送受信ができなくなる或いは送受信が難しくなる問題を有している。図１４はこれを図１０に示す物流用容器１００に関して説明するものである。【０００９】
物流用容器は運搬や格納の効率や作業のし易さから同じ形状及び同じ寸法のものを用いることが取り引きの常となっており、又、ＩＣタグも物流用容器の種別に合わせて略同じ箇所に取り付けられることが取り引きの常となっている。従って、図１２の物流用容器１００の場合は、その複数を同時に用いて出荷や搬入が行われる。これらの出荷や搬入の際の検品においては、複数の物流用容器１００を横並びさせることが行われる。【００１０】
すなわち、図１４における左側に積み重ねられている物流用容器１００、１００と、右側に積み重ねられている物流用容器１００、１００とは、矢印Ａで示すように、左側の物流用容器１００の側面１０１と、これと対面する左側の物流用容器１００の側面１０３とが突き合わせられるように横並び状態に整列させられる。すなわち、一の物流用容器１００における容器本体１０３は、他の容器本体１０３と上下・前後・左右の向きが全て同じとなるように整列させられる。【００１１】
このように対応した側面１０１と対面している側面１０３とが突き合わせられた場合、側面１０１と側面１０３とに取り付けられたＩＣタグ２００の表面が相互に重なった状態となる。すなわち、ハッチングで示すＩＣタグ２００の表面が相互に重なった状態となるものである。そして、このようにＩＣタグ２００の表面が重なり合うことにより、ＩＣタグ２００が相互に被さった状態となるため、交信の電波が到達しにくくなるばかりでなく、発信しにくくなる。このため、ＩＣタグ２００の送受信が難しくなるものである。【００１２】
以上のようなＩＣタグ２００の重なり合いは、物流用容器１００、１１０が載置されるパレットにおいても同様な問題となっている。図１５はこれを示すものであり、パレット３００は物流用容器等の容器（図示省略）が載置されるパレット体３０５を有しており、このパレット体３０５の外面にＩＣタグ２００が貼り付けにより取り付けられる。【００１３】
パレット体３０５は桁部３０６、３０７を左右部分及び中央部分に有し、これらの桁部３０６，３０７の上下部分に上側面板３１０及び下側面板３２０が設けられた扁平な立方体形状に成形されている。この場合、パレット３００は運搬や格納の効率や作業のし易さから大きさがある程度規格化されており、しかも出荷や搬入の際には作業のし易さから横並びが可能なように略同じ大きさのものが使用される。ＩＣタグ２００は一のパレット体３０５の外面に複数が貼り付けられるものであり、貼り付け作業性を考慮してパレット体３０５における中央部分の桁部３０７の外面に貼り付けられる。【００１４】
このような条件において、左側のパレット３００及び右側のパレット３００は矢印Ａで示すように、左側のパレット３００の側面と、これと対面する右側のパレット３００の側面とが突き合わせられるように横並び状態で整列させられる。このように対面している側面と側面とが突き合わせられた場合、それぞれのパレット体３０５の中央部分の桁部３０７に貼り付けられたＩＣタグ２００の表面が相互に重なった状態となる。図１５においては、ハッチングを施したＩＣタグ２００が相互に重なった状態となる。従って、この場合においても、図１２に示す物流用容器１００の場合と同様に交信用電波が到達しにくくなるばかりでなく、発信しにくくなり、ＩＣタグ２００の送受信が難しくなる問題を有している。【００１５】
図１５は、以上の物流用容器１００，１１０やパレット３００の外面に貼り付けられるＩＣタグ２００を示す。ＩＣタグ２００は、薄いベースシート２１０上にＩＣチップ２２０と、ＩＣチップ２２０に接続されたアンテナ２３０とを有している。アンテナ２３０は導電性金属の印刷により形成される。このＩＣタグ２００はベースシート２１０の全面に粘着剤が塗布されており、剥離紙２４０を剥がした後、粘着面を介して貼り付けを行う。【００１６】
アンテナ２３０は、ＩＣチップ２２０を中心にして略左右対称となった形状に形成されている。従って、ＩＣタグ２００の表面が他のＩＣタグ２００の表面と重なり合うと、アンテナ２３０のほとんどの部分も相互に重なり合った状態となる。これにより、上述したアンテナ２３０を介した送受信が難しくなるものである。【００１７】
本発明は、このような従来の問題点を考慮してなされたものであり、物流用容器やパレットの外面に貼り付けられたＩＣタグが重なり合っても、ＩＣタグへの送受信を良好に行うことができ、これにより、データの書き込みやデータの読み取りを行うことが可能な無線ＩＣタグを提供することを目的とする。
【課題を解決するための手段】
【００１８】
請求の範囲第１項記載の発明のＩＣタグは、ベースシートに形成されたアンテナと、アンテナとの導通状態で前記ベースシートに設けられたＩＣチップとを備えるパッシブ型の無線ＩＣタグであって、上下及び左右の方向を同じにした状態で２つのＩＣタグの表面を重ね合わせたとき、前記アンテナは相手側のＩＣタグのアンテナと重なり合わないパターンとなるように形成されていることを特徴とする。【００１９】
請求の範囲第２項記載の発明は、請求の範囲第１項記載の無線ＩＣタグであって、前記ＩＣタグは、内容物を収納する容器の複数の外面または前記容器が載置される搬送用のパレットの複数の外面に取り付けられることを特徴とする。【００２０】
請求の範囲第３項記載の発明は、請求の範囲第１項又は第２項記載の無線ＩＣタグであって、前記ＩＣタグは、通信周波数帯域がＵＨＦ帯域であることを特徴とする。【００２１】
請求の範囲第４項記載の発明は、請求の範囲第１項〜第３項のいずれか１項に記載の無線ＩＣタグであって、前記アンテナが相手側のＩＣタグのアンテナに囲まれるパターンとなっていることを特徴とする。【００２２】
請求の範囲第５項記載の発明は、請求の範囲第１項〜第３項のいずれか１項に記載の無線ＩＣタグであって、前記アンテナがＩＣタグの重ね合わせの中心となる線対称軸に対して非対称のパターンとなっていることを特徴とする。
【発明の効果】
【００２３】
本発明によれば、一の無線ＩＣタグのアンテナと他の無線ＩＣタグのアンテナとが相互に重ならないように形成されているため、上下及び左右方向が同じとなるように２つの無線ＩＣタグの表面を重ね合わせてもアンテナの重なり部分がないか、あっても極めて少ない部分で重なり合う。このため、アンテナを介した送受信が可能となり、データの書き込みやデータの読み取りを行うことができ、安定した送受信を行うことができる。
【図面の簡単な説明】
【００２４】
【図１】本発明の第１実施形態を線対称的に配置した正面図である。
【図２】ＩＣチップの内部構造を示すブロック図である。
【図３】本発明の第２実施形態を線対称的に配置した正面図である。
【図４】本発明の第３実施形態を線対称的に配置した正面図である。
【図５】本発明の第４実施形態を線対称的に配置した正面図である。
【図６】本発明の第５実施形態を線対称的に配置した正面図である。
【図７】本発明の第６実施形態を線対称的に配置した正面図である。
【図８】本発明の第７実施形態を線対称的に配置した正面図である。
【図９】本発明の第８実施形態を線対称的に配置した正面図である。
【図１０】物流システムの一例を示すブロック図である。
【図１１】物流センターにおける動きを示す斜視図である。
【図１２】ＩＣタグを取り付けた物流用容器を示す斜視図である。
【図１３】ＩＣタグを取り付けた別の物流用容器を示す斜視図である。
【図１４】物流用容器を整列させた状態を示す斜視図である。
【図１５】パレットを整列させた状態を示す斜視図である。
【図１６】従来のＩＣタグの一例を示す正面図である。
【符号の説明】
【００２５】
１  １００  １１０  物流用容器
２、２Ａ、２Ｂ、２Ｃ、２Ｄ、２Ｅ、２F、２G  一方のＩＣタグ
３、３Ａ、３Ｂ、３Ｃ、３Ｄ、３Ｅ、３F、３G  他方のＩＣタグ
２１、３１  ベースシート
２２、３２  アンテナ
２３、３３  ＩＣチップ
３００  パレット
【発明を実施するための最良の形態】
【００２６】
以下、本発明を図示する実施形態により具体的に説明する。なお、各実施形態において、同一の部材には同一の符号を付して対応させてある。【００２７】
図１及び図２は、本発明の無線ＩＣタグの第１実施形態を示す。図１に示すように、一方の無線ＩＣタグ２と、他方の無線ＩＣタグ３とを備えている。それぞれの無線ＩＣタグ（以下、ＩＣタグと記載する。）２，３は、いずれも正面が矩形状或いは正方形状となっている薄いベースシート２１，３１と、ベースシート２１，３１の片面上に形成されたそれぞれ２本のアンテナ２２，３２と、アンテナ２２，３２と接続されたＩＣチップ２３，３３とを備えている。【００２８】
ベースシート２１，３１はポリオレフィン、ポリエステル、ポリイミド、その他の樹脂フィルム或いは紙材が使用される。アンテナ２２，３２はこのベースシート２１，３１上にＡｌ、Ａｇ、Ａｕ、Ｃｕ等の導電性金属を印刷することにより形成される。また、蒸着やスパッタリング等によって導電性金属の薄膜をベースシート２１，３１の全面に積層したり、導電性金属の薄膜をベースシート２１，３１の全面に貼り付け、その後にエッチングを施して図示した所定のパターンのアンテナを形成することができる。ＩＣチップ２３，３３はそれぞれのアンテナ２２，３２におけるチップ実装部位に導電性接着剤を介して固定することにより取り付けられる。この実施形態において、それぞれのＩＣタグ２，３はベースシート２１，３１の略中央部分にＩＣチップ２３，３３が設けられている。なお、ＩＣタグ２，３のベースシート２１０の全面には粘着剤が塗布されており、剥離紙２４０を剥がした後、粘着面を容器やパレットの外面に押し当てることによりＩＣタグ２，３が容器やパレットの外面に貼り付けられる。【００２９】
本発明において、ＩＣタグ２，３として、パッシブ型のＩＣタグを用いるものである。パッシブ型のＩＣタグは電池を有していないため、通常は動作することがない。この状態に対し、リーダー・ライター側のアンテナがＩＣタグに対して電波を送信することにより、ＩＣタグはその電波をＩＣチップの電源生成部の整流回路に送って直流に変換し、この直流をエネルギーとして作動する。このようなパッシブ型のＩＣタグを用いることにより、電池を実装する必要がないため長期間繰り返し使用することができるメリットがある。【００３０】
図２はパッシブ型ＩＣチップの内部構造を示し、この実施形態のＩＣタグ２，３及びその他の実施形態のＩＣタグに適用されるものである。ＩＣタグはアンテナ６０とＩＣチップ６１とを有している。ＩＣチップ６１はアンテナ６０を介して受信した信号を復調する復調部６２と、送信用データを変調した変調信号をアンテナ６０に出力する変調部６３と、データが書き込まれるメモリ部６４と、復調したデータをメモリ部６４に書き込んだり、メモリ部６４内のデータを読み出す制御部６５とを有している。さらに、アンテナ６０に流れる電流を整流して電源を生成する電源生成部６６を備えており、電源生成部６６が生成した電源によって復調部６２，変調部６３、制御部６５が作動する。【００３１】
本発明において、２つのＩＣタグ２，３は物流用容器１００，１１０の外面における図１２、図１３に示す位置や、パレット３００の外面における図１５に示す位置に貼り付けられる。従って、製品や部品の検品のために物流用容器１００やパレット３００を横並び状に整列させた場合には、図１４及び図１５に示すように、対面した箇所のＩＣタグが相互に重なり合う。このようなＩＣタグ２，３の重なり合いがあった場合においても、一のＩＣタグ２のアンテナ２２と他のＩＣタグ３のアンテナ３２とが相互に重ならないように形成されるものである。以下、これを図１により説明する。【００３２】
図１は２つのＩＣタグ２，３を正面（表面）から見た状態であり、同図において、符号Ｚは２つのＩＣタグ２，３を線対称位置に配置した時の線対称軸（対称軸）である。従って、この線対称軸Ｚに沿って折り曲げることにより、ＩＣタグ２，３は上下及び左右の方向が同じとなり、この状態で表面が相互に重なり合うため、物流用容器やパレットを横並び状に整列させたときと同様な重なり合いとなる。【００３３】
ここで、一方（左側）のＩＣタグ２において、そのアンテナ２２のパターンは左端部が高く、この左端部から右側に向かって直線的に低くなるように形成されている。これに対し、他方（右側）のＩＣタグ３のアンテナ３２のパターンは実線で示すように、水平な横方向に延びるように形成されている。このように形成することにより、２つのアンテナ２２，３２は線対称軸Ｚに対して非対称となる。この状態では、２つのＩＣタグ２，３の表面を重ね合わせても、２つのＩＣタグ２，３のアンテナ２２，３２が重なり合うことがない。従って、アンテナ２２，３２の送信や受信に支障が生じることがなく、ＩＣタグ２，３へのデータの書き込みやデータの読み取りを行うことができ、安定した送受信を行うことができる。これにより、製品や部品の検品を確実に行うことができる。【００３４】
なお、図１においては、鎖線３２ａのパターンで示すように、他方のＩＣタグ３のアンテナを上下方向に配置しても、一方のＩＣタグ２のアンテナ２２とは非対称であり、アンテナ２２と重なり合うことがない。このため、上記と同様に安定した送受信を行うことができる。以上のように２つのＩＣタグ２，３の表面を重ね合わせる場合に、これらのアンテナ２２，３２が相互に重なり合うことのない配置は任意に設定できるものである。これに対し、鎖線３２ｃのパターンで示すように、他方のアンテナを一方のＩＣタグ２のアンテナ２２との線対称位置に形成した場合には、アンテナ２２，３２ｃが相互に重なり合うこととなり、電波の交信ができないか、交信しにくくなり、データの送受信が難しくなる。【００３５】
本発明において、ＩＣタグ２，３としてＵＨＦ帯ＩＣタグを用いるものである。ＵＨＦ帯ＩＣタグはＵＨＦ帯域を通信周波数帯域として無線方式で通信を行うタグであり、周波数が低いと共に空間での減衰が小さく、電磁誘導を用いる１３５ＫＨｚ未満の帯域や１３．５６ＭＨｚ帯域を通信周波数帯域として使用するＩＣタグ、さらには無線方式で通信を行う２．４５ＧＨｚ帯ＩＣタグに比べて通信距離が３〜１０ｍと長い特徴を有している。これにより、販売会社の物流センター８２（図１１参照）での検品構造を簡単にすることができる。【００３６】
図１０は本発明のＩＣタグが適用される物流システムの一例を示す。この物流システムは、販売会社とメーカーとの間で構築されるシステムである。販売会社は製品や部品の管理を行う管理センター８１と、物流センター８２と、製品や部品を行う販売店８３とを有している。メーカー８４は、販売店８３の管理センター８１と連絡が行われるように接続されていると共に、販売会社の物流センター８２に対し、製品や部品の搬入を行う物流センター８５を有している。製品や部品の搬入は、物流用容器１内に製品や部品を収納し、この物流用容器１を販売会社の物流センター８２に搬送することにより行われる。この場合、物流用容器１の外面には、本発明のＩＣタグ５０を貼り付けて販売会社を物流センター８２に搬送する。【００３７】
販売会社の管理センター８１は製品や部品の在庫及び販売を管理する在庫／販売管理部８７及びＩＣタグ５０の情報を管理するＩＣタグ情報管理部８８を有している。【００３８】
図１０に示す物流システムにおいては、販売会社の販売店８３が管理センター８１に対して発注Ｂを行う。この発注Ｂにより在庫／販売管理部８７は、メーカーに対してその旨の発注Ｃを行う。発注Ｃがあったときメーカー８４はその物流センター８５に対して出荷指示Ｄを行う。【００３９】
出荷指示Ｄを受けたメーカーの物流センター８５は、出荷指示Ｄに応じた出荷データＥを管理センター８１の在庫／販売管理部８７にネット等を介して送信する。出荷データＥは、事前出荷情報とＩＣタグ５０に書き込む製品、部品の情報とを対応させたデータとなっている。在庫／販売管理部８７は、受信した出荷データＥをＩＣタグ情報管理部８８に送信する。【００４０】
その後、メーカーの物流用容器８５から物流用容器１を販売会社の物流センター８２に搬送する。販売会社の物流センター８２では、物流用容器１に貼り付けられているＩＣタグ５０をリーダー・ライター（図１１参照）によって読み取って検品を行う。この検品データＦをＩＣタグ情報管理部８８に送信する。ＩＣタグ情報管理部８８では、このＩＣタグ５０から読み取った検品データＦと、上述した出荷データＥとを照合する。【００４１】
照合の結果、出荷データＥと検品データＦとが一致している場合には、その物流用容器１内に収納されている製品や部品が正しいと判断し、その照合結果Ｇを販売会社の物流センター８２に返信する。照合結果Ｇの返信を受けた販売会社の物流センター８２は、その物流用容器１をそのまま販売店８３に対して搬入する。このような物流システムでは、物流用容器１ごとに対して検品を行って照合するため、物流用容器１内に収納した製品や部品ごとの検品を行う必要がなく、検品作業を円滑に行うことができる。なお、本発明では、物流用容器１だけでなく、物流用容器１を搬送するパレットにも適用できるものであり、このため、ＩＣタグ５０がパレットの外面に貼り付けられる。【００４２】
図１１は、販売会社の物流センター８２における検品作動の一例を示している。物流センター８２には、検品を行うためのリーダー・ライター５１が物流センター８の入口あるいは屋根等に設置されている。このリーダー・ライター５１は、モニター５２に接続されており、モニター５２が検品結果を可視表示する。物流用容器１はパレット５４上に整列された状態でトラック５３によって搬送される。搬送された物流用容器１はパレット５４と共にトラック５３からリーダー・ライター５１の下方に荷下ろしされる。【００４３】
パレット５４上に整列されて荷下ろしされた物流用容器１は、リーダー・ライター５１から離れた位置にあっても長距離通信可能なＵＨＦ帯ＩＣタグ５０が取り付けられているため、リーダー・ライター５１はその情報を確実に読み取ることができ、迅速に検品することができる。検品後の物流用容器１は、リフター５５によって搬送され、検品及び納入が終了する。このようにＵＨＦ帯ＩＣタグ５０を用いることにより、整列状態での検品及びリーダー・ライター５１から離れた場所での検品が可能となる。従って、検品作業を迅速に行うことができる。【００４４】
図３は本発明の第２実施形態を示す。この実施形態においても、ＩＣタグ２Ａ及びＩＣタグ３Ａが物流用容器の外面やパレットの外面に貼り付けられることにより製品や部品の検品に使用される。検品に際しては、物流用容器やパレットが横並び状の整列状態となり、この整列によって一方のＩＣタグ２Ａ及び他方のＩＣタグ３Ａは表面が重ね合わせられた状態となる。符号Ｚは、ＩＣタグ２Ａ、３Ａを線対称位置に配置した場合の線対称軸であり、この線対称軸Ｚに沿って折り曲げることにより、ＩＣタグ２Ａ，３Ａは上下及び左右の方向が同じとなって表面が相互に重なり合い、物流用容器やパレットを横並び状に整列させたときの重なり合い状態と同様となる。【００４５】
一方のＩＣタグ２Ａにおいて、そのアンテナ２２のパターンはＩＣチップ２３に対する上下位置に形成されるものであり、ＩＣチップ２３の上下位置に対して複数段の櫛歯状パターンとなって配置されている。これに対し、他方のＩＣタグ３Ａにおけるアンテナ３２のパターンは、ＩＣチップ３３の上下に矩形状となって形成される。矩形状のアンテナ３２は一方のＩＣタグ２Ａの櫛歯状アンテナ２２よりも幅広で上下方向に長くなっている。このような２つのＩＣタグ２Ａ及び３Ａの表面が重ね合わせられても、一方のＩＣタグ２Ａのアンテナ２２は他方のＩＣタグ３Ａのアンテナ３２に囲まれてアンテナ３２の内方に位置する。又、このとき、アンテナ２２とアンテナ３２とは交差する部分も存在しない。このため、アンテナ２２，３２が重なり合うことがない。従って、アンテナ２２，３２の送信や受信に支障が生じることがなく、安定した送受信を行うことができ、ＩＣタグ２Ａ，３Ａへのデータの書き込みやデータの読み取りを確実に行うことができる。【００４６】
図４は本発明の第３実施形態を示し、ＩＣタグ２Ｂ及びＩＣタグ３Ｂが物流用容器の外面やパレットの外面に貼り付けられる。そして、物流用容器やパレットが横並び状の整列状態となることにより一方のＩＣタグ２Ｂ及び他方のＩＣタグ３Ｂは表面が重ね合わせられた状態となる。符号Ｚは、ＩＣタグ２Ｂ、３Ｂを線対称位置に配置した場合の線対称軸であり、線対称軸Ｚに沿って折り曲げることにより、ＩＣタグ２Ｂ，３Ｂは上下及び左右の方向が同じとなった状態で表面が相互に重なり合う。従って、物流用容器やパレットを横並び状に整列させたときの重なり合い状態と同様となる。【００４７】
この実施形態において、一方のＩＣタグ２Ｂには、ＩＣチップ２３を中心にした上下位置にクランク状パターンのアンテナ２２が形成されている。他方のＩＣタグ３Ｂにも、実線で示すようにＩＣチップ３３を中心にした上下位置にクランク状パターンのアンテナ３２が形成されている。これらのアンテナ２２及び３２は同一の長さで、且つ同じ長さ位置で屈曲するように形成されるものであり、ＩＣタグ２Ｂ側のアンテナ２２に対し、ＩＣタグ３Ｂ側のアンテナ３２は同じ方向に屈曲している。従って、アンテナ２２及び３２は線対称軸Ｚに対して非対称となっている。このような配置では、上下及び左右の方向を同じにした状態でＩＣタグ２Ｂ、３Ｂの表面が重ね合わせられても、アンテナ２２，３２が相互に重なり合うことがなく、送信や受信に支障を生じることがない。【００４８】
図４において、鎖線３２ｄのパターンはＩＣタグ３Ｂ側に形成されたアンテナであり、ＩＣタグ２Ｂ側のアンテナ２２と線対称位置となるように形成されている。このような線対称位置のアンテナ３２ｄでは、ＩＣタグ２Ｂ、３Ｂを重ね合わせたとき、アンテナ２２，３２ｄのほとんどが相互に重なり合った状態となる。このように重なり合うことにより電波の送信や受信に支障となるため好ましくない。【００４９】
図５は本発明の第４実施形態を示す。ＩＣタグ２Ｃ及びＩＣタグ３Ｃが物流用容器の外面やパレットの外面に貼り付けられる。そして、物流用容器やパレットが横並び状の整列状態となることにより、一方のＩＣタグ２Ｃ及び他方のＩＣタグ３Ｃは表面が重ね合わせられる。符号Ｚは、ＩＣタグ２Ｃ、３Ｃを線対称位置に配置した場合の線対称軸であり、線対称軸Ｚに沿って折り曲げることにより、ＩＣタグ２Ａ，３Ａは上下及び左右方向が同じとなった状態で表面が相互に重なり合う。従って、物流用容器やパレットを横並び状に整列させたときの重なり合いと同様となる。【００５０】
この実施形態における一方のＩＣタグ２Ｃには、ベースシート２１の左側上部に角型渦巻き状パターンのアンテナ２２及びアンテナ２２に接続されたＩＣチップ２３が設けられている。また、他方のＩＣチップ３Ｃには、右側下部に角型渦巻き状パターンのアンテナ３２及びアンテナ３２に接続されたＩＣチップ３３が設けられている。このような配置構造において、上下及び左右方向を同じにした状態でＩＣタグ２Ｃ及び２Ｄの表面を重ね合わせても、線対称軸Ｚに対して非対称であり、しかもアンテナ２２、３２が離れているため、相互に重なり合うことがない。従って、アンテナ２２、３２による電波の送信や受信を円滑に行うことができ、確実な送受信が可能となる。【００５１】
図６は本発明の第５実施形態を示す。ＩＣタグ２Ｄ及びＩＣタグ３Ｄが物流用容器の外面やパレットの外面に貼り付けられる。そして、物流用容器やパレットが横並び状の整列状態となることにより、一方のＩＣタグ２Ｄ及び他方のＩＣタグ３Ｄの表面が重ね合わせられる。符号Ｚは、ＩＣタグ２Ｄ、３Ｄを線対称位置に配置した場合の線対称軸であり、線対称軸Ｚに沿って折り曲げることにより、ＩＣタグ２Ｄ、３Ｄは上下及び左右の方向が同じとなった状態で表面が相互に重なり合う。従って、物流用容器やパレットを横並び状に整列させたときの重なり合い状態と同様となる。【００５２】
一方のＩＣタグ２Ｄには、ベースシート２１の中央よりも左側に位置した部分にＩＣチップ２３が配置され、ＩＣチップ２３には角型渦巻き状パターンとなったアンテナ２２が連結されている。他方のＩＣタグ３Ｄも同様であり、ベースシート２１の中央よりも左側に位置した部分にＩＣチップ３３が配置され、このＩＣチップ３３に角型渦巻き状パターンとなったアンテナ３２が連結されている。アンテナ２２及び３２は略同じ大きさとなるように形成されている。このように渦巻き状パターンのアンテナ２２、３２がベースシート２１、３１の同じ側に配置されることにより、上下及び左右の方向を同じにした状態でＩＣタグ２Ｄ、３Ｄの表面を重ね合わせても、アンテナ２２、３２が相互に重なり合うことがない。このため、ＩＣタグ２Ｄ、３Ｄの送受信に支障となることがない。【００５３】
図６において、鎖線で示すパターンアンテナ３２ｃを他方のＩＣチップに形成した場合、このアンテナ３２ｃはＩＣタグ２Ｄ側のアンテナ２２と線対称位置となる。このような線対称位置のアンテナ３２ｃでは、ＩＣタグ２Ｂ、３Ｂを重ね合わせたとき、アンテナ２２，３２ｃのほとんどが相互に重なり合った状態となるため、電波の送信や受信の支障となって好ましくない。【００５４】
図７は本発明の第６実施形態を示す。ＩＣタグ２Ｅ及びＩＣタグ３Ｅが物流用容器の外面やパレットの外面に貼り付けられ、物流用容器やパレットが横並び状の整列状態となることにより一方のＩＣタグ２Ｅ及び他方のＩＣタグ３Ｅの表面が重ね合わせられる。図７において、符号Ｚは、ＩＣタグ２Ｅ、３Ｅを線対称位置に配置した場合の線対称軸であり、線対称軸Ｚに沿って折り曲げることによりＩＣタグ２Ｅ、３Ｅの表面が相互に重なり合うため、物流用容器やパレットを横並び状に整列させたときの重なり合い状態と同様となる。【００５５】
ＩＣタグ２Ｅ及び３Ｅは、ベースシート２１，３１上にＩＣチップ２３、３３及びアンテナ２２、３２が設けられることにより構成されている。一方のＩＣタグ２Ｅにおいては、ＩＣチップ２３の上下位置にアンテナ２２が形成されている。それぞれのアンテナ２２はＩＣチップ２３に近接した位置に設けられている。これらのアンテナ２２は、ＩＣチップ２３に近接した上下位置で、左右の横方向に伸びると共に左右の横方向への屈曲を複数繰り返した複数段の櫛歯状パターンとなっている。【００５６】
他方のＩＣタグ３Ｅにおいては、ＩＣチップ３３の左右位置にアンテナ３２が形成されている。ＩＣタグ３Ｅのそれぞれのアンテナ３２は、ＩＣチップ３３から左右の方向に直線状に伸びる脚状パターン部３２ｍと、脚状パターン部３２ｍの先端部分で上下方向に伸びると共に上下方向への屈曲を複数繰り返した複数段の櫛歯状パターン部３２ｎとを備えている。脚状パターン部３２ｍは、一方のＩＣタグ２Ｅのアンテナ２２の横方向長さよりも長くなるように設定される。このようなパターンとなっていることにより、アンテナ３２は線対称軸Ｚに対し、アンテナ２２と非対称となっているのに加えて、アンテナ３２はＩＣタグ２Ｅのアンテナ２２の形成領域の外側に位置する。【００５７】
図７に示すアンテナの配置状態で、上下及び左右の方向を同じにしてＩＣタグ２Ｅ、３Ｅを重ね合わせると、アンテナ２２とアンテナ３２とが相互に重なり合うことがない。従って、アンテナ２２、３２による電波の送信や受信を円滑に行うことができ、確実な送受信が可能となる。【００５８】
図８は、本発明の第７実施形態を示す。ＩＣタグ２Ｆ及び３Ｆが物流用容器の外面やパレットの外面に貼り付けられ、物流用容器やパレットが横並び状の整列状態となることにより一方のＩＣタグ２Ｅ及び他方のＩＣタグ３Ｅの表面が重ね合わせられる。図８において、符号ＺはＩＣタグ２Ｅ、３Ｅを線対称位置に配置した場合の線対称軸であり、線対称軸Ｚに沿って折り曲げることによりＩＣタグ２Ｆ、３Ｆの表面が相互に重なり合う。これにより、物流用容器やパレットを横並び状に整列させたときの重なり合い状態と同様となる。【００５９】
一方のＩＣタグ２Ｆにおいては、ＩＣチップ２３の上下位置にアンテナ２２が配置されている。それぞれのアンテナ２２はＩＣチップ２３から上下の方向に伸びる脚状パターン部２２ｍと、脚状パターン部２２ｍの先端部分で左右方向に伸びると共に左右方向への屈曲を複数繰り返した複数段の横櫛歯状パターン部２２ｎとを備えている。この場合、脚状パターン部２２ｍは、横櫛歯状パターン部２２ｎがＩＣチップ２３から十分に離れるように長くなっている。【００６０】
他方のＩＣタグ３Ｆは、図７におけるＩＣタグ３Ｅと同様となっている。すなわち、ＩＣタグ３Ｅにおいては、ＩＣチップ３３の左右位置にアンテナ３２が形成され、それぞれのアンテナ３２は、ＩＣチップ３３から左右の方向に直線状に伸びる脚状パターン部３２ｍ及び脚状パターン部３２ｍの先端部分で上下方向に伸びると共に上下方向への屈曲を複数繰り返した複数段の縦櫛歯状パターン部３２ｎによって構成されている。ＩＣタグ３Ｆにおいても、脚状パターン部３２ｍは、縦櫛歯状パターン部３２ｎがＩＣチップ３３から十分に離れるように長くなって形成されるものである。【００６１】
このようなパターンとなっていることにより、アンテナ２２及びアンテナ３２は線対称軸Ｚに対して非対称となっている。これに加えて、それぞれのＩＣタグ２Ｆ、３Ｆでは、脚状パターン部２２ｍ、３２ｍが長くなっているため、横櫛歯状パターン部２２ｍ、縦櫛歯状パターン部３２ｍがベースシート２１，３１の外縁に接近した位置となっている。このようなＩＣタグ２Ｆ、３Ｆを、上下及び左右の方向を同じにして重ね合わせると、アンテナ２２とアンテナ３２とが相互に重なり合うことがない。従って、アンテナ２２、３２による電波の送信や受信を円滑に行うことができ、確実な送受信が可能となる。【００６２】
図９は本発明の第８実施形態を示す。この実施形態における一方のＩＣタグ２２Ｅは、ベースシート２１の中央のＩＣチップ２３と、ＩＣチップ２３に接続された２つのアンテナ２２を有している。２つのアンテナ２２は、矩形状となっていると共にＩＣチップ２３を挟んだパターンに形成されている。【００６３】
他方のＩＣタグ３Ｅは、ベースシート３１の中央のＩＣチップ３３に２つのアンテナ３２が接続された構造となっている。２つのアンテナ３２はＩＣチップ３３を左右から挟むパターンとなってＩＣチップ３３の両側に設けられている。また、２つのアンテナ３２は上下方向に大きく延びると共に、左右方向にも大きく延びており、これにより一方のＩＣタグ２Ｅのアンテナ２２を十分に包み込むことが可能な大きさとなっている。【００６４】
このようなＩＣタグ２Ｅ及びＩＣタグ３Ｅの上下及び左右方向を同じにした状態で２つのＩＣタグ２Ｅ、３Ｅの表面を重ね合わせた場合、ＩＣタグ２Ｅ側のアンテナ２２は、ＩＣタグ３Ｅ側のアンテナ３２に囲まれた状態となる。このとき、アンテナ２２及び３２は相互に交差する部分が発生するが、その他の大部分は相互に重なり合うことがない。このようにアンテナ２２，３２の一部が重なり合っていても、大部分は重なっていない。このため、アンテナ２２及び３２は電波の送信及び受信を確実に行うことができる。従って、電波の送信や受信の支障となることがなく、ＩＣチップ２３，３３へのデータの読み取りや書き込みを行うことができる。【００６５】
以上のようなアンテナ２２，３２の部分的な重なりは、重なっていない部分に対して極力少ないことが好ましく、アンテナ２２，３２の全長（又は全面積）をＸとした場合、０．０１Ｘ（１％）〜０．２Ｘ（２０％）が良好であり、０．０１Ｘ（１％）〜０．１０Ｘ（１０％）の範囲がさらに良好である。【００６６】
本発明は、以上の実施形態に限定されることなく、種々変形が可能である。例えば、２つのＩＣタグのアンテナは相互に重なり合わなければ、図示した実施形態以外のパターンとすることが可能である。
【産業上の利用分野】
【００６７】
本発明の無線ＩＣタグは、容器や容器積載用のパレット外面に取り付けられ、横並び状で隣接する容器やパレットの無線ＩＣタグと重なっても、アンテナに対して確実に送受信できるため、大量の製品や部品を流通させる物流システムに用いるのに適している。
【図１】
2008029534.tif 000003
【図２】
2008029534.tif 000004
【図３】
2008029534.tif 000005
【図４】
2008029534.tif 000006
【図５】
2008029534.tif 000007
【図６】
2008029534.tif 000008
【図７】
2008029534.tif 000009
【図８】
2008029534.tif 000010
【図９】
2008029534.tif 000011
【図１０】
2008029534.tif 000012
【図１１】
2008029534.tif 000013
【図１２】
2008029534.tif 000014
【図１３】
2008029534.tif 000015
【図１４】
2008029534.tif 000016
【図１５】
2008029534.tif 000017
【図１６】
2008029534.tif 000018
【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
ベースシートに形成されたアンテナと、アンテナとの導通状態で前記ベースシートに設けられたＩＣチップとを備えるパッシブ型の無線ＩＣタグであって、
上下及び左右の方向を同じにした状態で２つのＩＣタグの表面を重ね合わせたとき、前記アンテナは相手側のＩＣタグのアンテナと重なり合わないパターンとなるように形成されていることを特徴とする無線ＩＣタグ。
【請求項２】
前記ＩＣタグは、内容物を収納する容器の複数の外面または前記容器が載置される搬送用のパレットの複数の外面に取り付けられることを特徴とする請求項１記載の無線ＩＣタグ。
【請求項３】
前記ＩＣタグは、通信周波数帯域がＵＨＦ帯域であることを特徴とする請求項１又は２記載の無線ＩＣタグ。
【請求項４】
前記アンテナが相手側のＩＣタグのアンテナに囲まれるパターンとなっていることを特徴とする請求の範囲項１〜３のいずれか１項に記載の無線ＩＣタグ。
【請求項５】
前記アンテナがＩＣタグの重ね合わせの中心となる線対称軸に対して非対称のパターンとなっていることを特徴とする請求項１〜３のいずれか１項に記載の無線ＩＣタグ。
【手続補正２】
【補正対象書類名】明細書
【補正対象項目名】全文
【補正方法】変更
【補正の内容】
【発明の詳細な説明】
【技術分野】
【０００１】
本発明は、各種データの書き込みや読み出しを非接触で行う無線ＩＣタグに関し、特に物流システムに用いられて製品や部品の検品を行うのに使用される無線ＩＣタグに関する。
【背景技術】
【０００２】
メーカーの物流センターや販売会社の物流センターでは、数多くの製品や部品等を集配する必要があることから、種々の製品や部品等を収納するコンテナや段ボール箱等の物流用容器を用いており、この物流用容器に収納した状態で製品や部品の出荷や納入を行っている。この場合、製品や部品を識別するためのバーコードが個々の製品や部品に貼り付けられており、バーコードリーダーによって個々のバーコードの情報を読み取って検品を行っている。
【０００３】
しかしながら、バーコードを用いた検品では、検品担当者が製品や部品に付いているバーコードを個々に読み取る必要があり、検品作業に長時間を要しており、検品作業の省力化を行うことができないものとなっている。これに対し、近年、ＩＣタグを物流用容器の外面に貼り付け、ＩＣタグの情報をリーダー・ライターによって読み取ることにより物流用容器内の製品や部品を検品することが行われている。
【０００４】
ＩＣタグは、製品や部品の種類や個数に関する数多くの情報の書き込み及び読み取りが可能である特徴を有しており、この特徴を利用することにより以下の検品システムが可能となる。すなわち、出荷側の物流センターでは、一の物流用容器に収納した製品や部品の情報をＩＣタグに書き込んだ後、ＩＣタグをその物流用容器の外面に貼り付けて出荷すると共に、ＩＣタグに書き込んだ情報を通信ネット等を介して納入側の物流センターに送信する。納入側の物流センターでは、物流用容器を受け取ったとき、物流用容器の外面に貼り付けられているＩＣタグを読み取り、読み取った情報が事前に出荷側の物流センターから送信された情報と一致するか否かの照合を行う。これにより、個々の製品や部品のバーコードを読み取ることなく、物流用容器内の製品や部品の検品を行うことができ、検品作業を効率的に行うことが可能となる。
【０００５】
図１２及び図１３は、ＩＣタグを用いて上述の検品を行うための物流用容器１００、１１０をそれぞれ示す。物流用容器１００、１１０は、いずれも容器本体１０５、１１５と、容器本体１０５，１１５の外面に貼り付けられたＩＣタグ２００とを有している。
【０００６】
容器本体１０５，１１５はいずれも折り畳みコンテナや段ボール箱からなり、略直方体に形成されている。製品や部品等はこの容器本体１０５，１１５の内部に収納される。図１２に示す物流用容器１００では、容器本体１０５の４側面１０１，１０２，１０３，１０４の外面にＩＣタグ２００が貼り付けられるものであり、各側面１０１，１０２，１０３，１０４における上部の中央部分に取り付けられている。図１３に示す物流用容器１１０では、４側面１１１，１１２，１１３，１１４のそれぞれの面中央部分にＩＣタグ２００が取り付けられている。このようにＩＣタグ２００を容器本体１０５，１１５に取り付けることにより、容器本体１０５，１１５内に収納した製品や部品を個々に検品する作業が不要となる。ここで、物流用容器１００，１１０の検品に際しては、個々の容器本体１０５，１１５に取り付けたＩＣタグ２００の情報が全て同一であることの確認も行われるものである。
【０００７】
これらの物流用容器１００，１１０に用いられるＩＣタグ２００としては、特許文献１に記載されるように、無線によってデータの読み取り及び書き換えが可能なＲＡＭタイプが選択される。すなわちこのタイプでは、リーダー・ライターからの電波によってＩＣタグ２００のデータの書き換えが可能であると共に、ＩＣタグ２００からの電波を受信することによってリーダー・ライターを介してＩＣタグ２００内のデータの読み取りが可能となるものであり、繰り返し使用が可能な点で経済的となっている。
【特許文献１】特開２００６−１０６９号公報
【発明の開示】
【発明が解決しようとする課題】
【０００８】
図１２及び図１３のようなＩＣタグ２００の取り付け位置では、複数の物流用容器を並べたときに、ＩＣタグ２００との送受信ができなくなる或いは送受信が難しくなる問題を有している。図１４はこれを図１０に示す物流用容器１００に関して説明するものである。
【０００９】
物流用容器は運搬や格納の効率や作業のし易さから同じ形状及び同じ寸法のものを用いることが取り引きの常となっており、又、ＩＣタグも物流用容器の種別に合わせて略同じ箇所に取り付けられることが取り引きの常となっている。従って、図１２の物流用容器１００の場合は、その複数を同時に用いて出荷や搬入が行われる。これらの出荷や搬入の際の検品においては、複数の物流用容器１００を横並びさせることが行われる。
【００１０】
すなわち、図１４における左側に積み重ねられている物流用容器１００、１００と、右側に積み重ねられている物流用容器１００、１００とは、矢印Ａで示すように、左側の物流用容器１００の側面１０１と、これと対面する左側の物流用容器１００の側面１０３とが突き合わせられるように横並び状態に整列させられる。すなわち、一の物流用容器１００における容器本体１０３は、他の容器本体１０３と上下・前後・左右の向きが全て同じとなるように整列させられる。
【００１１】
このように対応した側面１０１と対面している側面１０３とが突き合わせられた場合、側面１０１と側面１０３とに取り付けられたＩＣタグ２００の表面が相互に重なった状態となる。すなわち、ハッチングで示すＩＣタグ２００の表面が相互に重なった状態となるものである。そして、このようにＩＣタグ２００の表面が重なり合うことにより、ＩＣタグ２００が相互に被さった状態となるため、交信の電波が到達しにくくなるばかりでなく、発信しにくくなる。このため、ＩＣタグ２００の送受信が難しくなるものである。
【００１２】
以上のようなＩＣタグ２００の重なり合いは、物流用容器１００、１１０が載置されるパレットにおいても同様な問題となっている。図１５はこれを示すものであり、パレット３００は物流用容器等の容器（図示省略）が載置されるパレット体３０５を有しており、このパレット体３０５の外面にＩＣタグ２００が貼り付けにより取り付けられる。
【００１３】
パレット体３０５は桁部３０６、３０７を左右部分及び中央部分に有し、これらの桁部３０６，３０７の上下部分に上側面板３１０及び下側面板３２０が設けられた扁平な立方体形状に成形されている。この場合、パレット３００は運搬や格納の効率や作業のし易さから大きさがある程度規格化されており、しかも出荷や搬入の際には作業のし易さから横並びが可能なように略同じ大きさのものが使用される。ＩＣタグ２００は一のパレット体３０５の外面に複数が貼り付けられるものであり、貼り付け作業性を考慮してパレット体３０５における中央部分の桁部３０７の外面に貼り付けられる。
【００１４】
このような条件において、左側のパレット３００及び右側のパレット３００は矢印Ａで示すように、左側のパレット３００の側面と、これと対面する右側のパレット３００の側面とが突き合わせられるように横並び状態で整列させられる。このように対面している側面と側面とが突き合わせられた場合、それぞれのパレット体３０５の中央部分の桁部３０７に貼り付けられたＩＣタグ２００の表面が相互に重なった状態となる。図１５においては、ハッチングを施したＩＣタグ２００が相互に重なった状態となる。従って、この場合においても、図１２に示す物流用容器１００の場合と同様に交信用電波が到達しにくくなるばかりでなく、発信しにくくなり、ＩＣタグ２００の送受信が難しくなる問題を有している。
【００１５】
図１５は、以上の物流用容器１００，１１０やパレット３００の外面に貼り付けられるＩＣタグ２００を示す。ＩＣタグ２００は、薄いベースシート２１０上にＩＣチップ２２０と、ＩＣチップ２２０に接続されたアンテナ２３０とを有している。アンテナ２３０は導電性金属の印刷により形成される。このＩＣタグ２００はベースシート２１０の全面に粘着剤が塗布されており、剥離紙２４０を剥がした後、粘着面を介して貼り付けを行う。
【００１６】
アンテナ２３０は、ＩＣチップ２２０を中心にして略左右対称となった形状に形成されている。従って、ＩＣタグ２００の表面が他のＩＣタグ２００の表面と重なり合うと、アンテナ２３０のほとんどの部分も相互に重なり合った状態となる。これにより、上述したアンテナ２３０を介した送受信が難しくなるものである。
【００１７】
本発明は、このような従来の問題点を考慮してなされたものであり、物流用容器やパレットの外面に貼り付けられたＩＣタグが重なり合っても、ＩＣタグへの送受信を良好に行うことができ、これにより、データの書き込みやデータの読み取りを行うことが可能な無線ＩＣタグを提供することを目的とする。
【課題を解決するための手段】
【００１８】
請求項１記載の発明のＩＣタグは、ベースシートに形成されたアンテナと、アンテナとの導通状態で前記ベースシートに設けられたＩＣチップとを備えるパッシブ型の無線ＩＣタグであって、上下及び左右の方向を同じにした状態で２つのＩＣタグの表面を重ね合わせたとき、前記アンテナは相手側のＩＣタグのアンテナと重なり合わないパターンとなるように形成されていることを特徴とする。
【００１９】
請求項２記載の発明は、請求項１項記載の無線ＩＣタグであって、前記ＩＣタグは、内容物を収納する容器の複数の外面または前記容器が載置される搬送用のパレットの複数の外面に取り付けられることを特徴とする。
【００２０】
請求項３記載の発明は、請求項１又は２記載の無線ＩＣタグであって、前記ＩＣタグは、通信周波数帯域がＵＨＦ帯域であることを特徴とする。
【００２１】
請求項４記載の発明は、請求項１〜３のいずれか１項に記載の無線ＩＣタグであって、前記アンテナが相手側のＩＣタグのアンテナに囲まれるパターンとなっていることを特徴とする。
【００２２】
請求項５記載の発明は、請求項１〜３のいずれか１項に記載の無線ＩＣタグであって、前記アンテナがＩＣタグの重ね合わせの中心となる線対称軸に対して非対称のパターンとなっていることを特徴とする。
【発明の効果】
【００２３】
本発明によれば、一の無線ＩＣタグのアンテナと他の無線ＩＣタグのアンテナとが相互に重ならないように形成されているため、上下及び左右方向が同じとなるように２つの無線ＩＣタグの表面を重ね合わせてもアンテナの重なり部分がないか、あっても極めて少ない部分で重なり合う。このため、アンテナを介した送受信が可能となり、データの書き込みやデータの読み取りを行うことができ、安定した送受信を行うことができる。
【発明を実施するための最良の形態】
【００２４】
以下、本発明を図示する実施形態により具体的に説明する。なお、各実施形態において、同一の部材には同一の符号を付して対応させてある。
【００２５】
図１及び図２は、本発明の無線ＩＣタグの第１実施形態を示す。図１に示すように、一方の無線ＩＣタグ２と、他方の無線ＩＣタグ３とを備えている。それぞれの無線ＩＣタグ（以下、ＩＣタグと記載する。）２，３は、いずれも正面が矩形状或いは正方形状となっている薄いベースシート２１，３１と、ベースシート２１，３１の片面上に形成されたそれぞれ２本のアンテナ２２，３２と、アンテナ２２，３２と接続されたＩＣチップ２３，３３とを備えている。
【００２６】
ベースシート２１，３１はポリオレフィン、ポリエステル、ポリイミド、その他の樹脂フィルム或いは紙材が使用される。アンテナ２２，３２はこのベースシート２１，３１上にＡｌ、Ａｇ、Ａｕ、Ｃｕ等の導電性金属を印刷することにより形成される。また、蒸着やスパッタリング等によって導電性金属の薄膜をベースシート２１，３１の全面に積層したり、導電性金属の薄膜をベースシート２１，３１の全面に貼り付け、その後にエッチングを施して図示した所定のパターンのアンテナを形成することができる。ＩＣチップ２３，３３はそれぞれのアンテナ２２，３２におけるチップ実装部位に導電性接着剤を介して固定することにより取り付けられる。この実施形態において、それぞれのＩＣタグ２，３はベースシート２１，３１の略中央部分にＩＣチップ２３，３３が設けられている。なお、ＩＣタグ２，３のベースシート２１０の全面には粘着剤が塗布されており、剥離紙２４０を剥がした後、粘着面を容器やパレットの外面に押し当てることによりＩＣタグ２，３が容器やパレットの外面に貼り付けられる。
【００２７】
本発明において、ＩＣタグ２，３として、パッシブ型のＩＣタグを用いるものである。パッシブ型のＩＣタグは電池を有していないため、通常は動作することがない。この状態に対し、リーダー・ライター側のアンテナがＩＣタグに対して電波を送信することにより、ＩＣタグはその電波をＩＣチップの電源生成部の整流回路に送って直流に変換し、この直流をエネルギーとして作動する。このようなパッシブ型のＩＣタグを用いることにより、電池を実装する必要がないため長期間繰り返し使用することができるメリットがある。
【００２８】
図２はパッシブ型ＩＣチップの内部構造を示し、この実施形態のＩＣタグ２，３及びその他の実施形態のＩＣタグに適用されるものである。ＩＣタグはアンテナ６０とＩＣチップ６１とを有している。ＩＣチップ６１はアンテナ６０を介して受信した信号を復調する復調部６２と、送信用データを変調した変調信号をアンテナ６０に出力する変調部６３と、データが書き込まれるメモリ部６４と、復調したデータをメモリ部６４に書き込んだり、メモリ部６４内のデータを読み出す制御部６５とを有している。さらに、アンテナ６０に流れる電流を整流して電源を生成する電源生成部６６を備えており、電源生成部６６が生成した電源によって復調部６２，変調部６３、制御部６５が作動する。
【００２９】
本発明において、２つのＩＣタグ２，３は物流用容器１００，１１０の外面における図１２、図１３に示す位置や、パレット３００の外面における図１５に示す位置に貼り付けられる。従って、製品や部品の検品のために物流用容器１００やパレット３００を横並び状に整列させた場合には、図１４及び図１５に示すように、対面した箇所のＩＣタグが相互に重なり合う。このようなＩＣタグ２，３の重なり合いがあった場合においても、一のＩＣタグ２のアンテナ２２と他のＩＣタグ３のアンテナ３２とが相互に重ならないように形成されるものである。以下、これを図１により説明する。
【００３０】
図１は２つのＩＣタグ２，３を正面（表面）から見た状態であり、同図において、符号Ｚは２つのＩＣタグ２，３を線対称位置に配置した時の線対称軸（対称軸）である。従って、この線対称軸Ｚに沿って折り曲げることにより、ＩＣタグ２，３は上下及び左右の方向が同じとなり、この状態で表面が相互に重なり合うため、物流用容器やパレットを横並び状に整列させたときと同様な重なり合いとなる。
【００３１】
ここで、一方（左側）のＩＣタグ２において、そのアンテナ２２のパターンは左端部が高く、この左端部から右側に向かって直線的に低くなるように形成されている。これに対し、他方（右側）のＩＣタグ３のアンテナ３２のパターンは実線で示すように、水平な横方向に延びるように形成されている。このように形成することにより、２つのアンテナ２２，３２は線対称軸Ｚに対して非対称となる。この状態では、２つのＩＣタグ２，３の表面を重ね合わせても、２つのＩＣタグ２，３のアンテナ２２，３２が重なり合うことがない。従って、アンテナ２２，３２の送信や受信に支障が生じることがなく、ＩＣタグ２，３へのデータの書き込みやデータの読み取りを行うことができ、安定した送受信を行うことができる。これにより、製品や部品の検品を確実に行うことができる。
【００３２】
なお、図１においては、鎖線３２ａのパターンで示すように、他方のＩＣタグ３のアンテナを上下方向に配置しても、一方のＩＣタグ２のアンテナ２２とは非対称であり、アンテナ２２と重なり合うことがない。このため、上記と同様に安定した送受信を行うことができる。以上のように２つのＩＣタグ２，３の表面を重ね合わせる場合に、これらのアンテナ２２，３２が相互に重なり合うことのない配置は任意に設定できるものである。これに対し、鎖線３２ｃのパターンで示すように、他方のアンテナを一方のＩＣタグ２のアンテナ２２との線対称位置に形成した場合には、アンテナ２２，３２ｃが相互に重なり合うこととなり、電波の交信ができないか、交信しにくくなり、データの送受信が難しくなる。
【００３３】
本発明において、ＩＣタグ２，３としてＵＨＦ帯ＩＣタグを用いるものである。ＵＨＦ帯ＩＣタグはＵＨＦ帯域を通信周波数帯域として無線方式で通信を行うタグであり、周波数が低いと共に空間での減衰が小さく、電磁誘導を用いる１３５ＫＨｚ未満の帯域や１３．５６ＭＨｚ帯域を通信周波数帯域として使用するＩＣタグ、さらには無線方式で通信を行う２．４５ＧＨｚ帯ＩＣタグに比べて通信距離が３〜１０ｍと長い特徴を有している。これにより、販売会社の物流センター８２（図１１参照）での検品構造を簡単にすることができる。
【００３４】
図１０は本発明のＩＣタグが適用される物流システムの一例を示す。この物流システムは、販売会社とメーカーとの間で構築されるシステムである。販売会社は製品や部品の管理を行う管理センター８１と、物流センター８２と、製品や部品を行う販売店８３とを有している。メーカー８４は、販売店８３の管理センター８１と連絡が行われるように接続されていると共に、販売会社の物流センター８２に対し、製品や部品の搬入を行う物流センター８５を有している。製品や部品の搬入は、物流用容器１内に製品や部品を収納し、この物流用容器１を販売会社の物流センター８２に搬送することにより行われる。この場合、物流用容器１の外面には、本発明のＩＣタグ５０を貼り付けて販売会社を物流センター８２に搬送する。
【００３５】
販売会社の管理センター８１は製品や部品の在庫及び販売を管理する在庫／販売管理部８７及びＩＣタグ５０の情報を管理するＩＣタグ情報管理部８８を有している。
【００３６】
図１０に示す物流システムにおいては、販売会社の販売店８３が管理センター８１に対して発注Ｂを行う。この発注Ｂにより在庫／販売管理部８７は、メーカーに対してその旨の発注Ｃを行う。発注Ｃがあったときメーカー８４はその物流センター８５に対して出荷指示Ｄを行う。
【００３７】
出荷指示Ｄを受けたメーカーの物流センター８５は、出荷指示Ｄに応じた出荷データＥを管理センター８１の在庫／販売管理部８７にネット等を介して送信する。出荷データＥは、事前出荷情報とＩＣタグ５０に書き込む製品、部品の情報とを対応させたデータとなっている。在庫／販売管理部８７は、受信した出荷データＥをＩＣタグ情報管理部８８に送信する。
【００３８】
その後、メーカーの物流用容器８５から物流用容器１を販売会社の物流センター８２に搬送する。販売会社の物流センター８２では、物流用容器１に貼り付けられているＩＣタグ５０をリーダー・ライター（図１１参照）によって読み取って検品を行う。この検品データＦをＩＣタグ情報管理部８８に送信する。ＩＣタグ情報管理部８８では、このＩＣタグ５０から読み取った検品データＦと、上述した出荷データＥとを照合する。
【００３９】
照合の結果、出荷データＥと検品データＦとが一致している場合には、その物流用容器１内に収納されている製品や部品が正しいと判断し、その照合結果Ｇを販売会社の物流センター８２に返信する。照合結果Ｇの返信を受けた販売会社の物流センター８２は、その物流用容器１をそのまま販売店８３に対して搬入する。このような物流システムでは、物流用容器１ごとに対して検品を行って照合するため、物流用容器１内に収納した製品や部品ごとの検品を行う必要がなく、検品作業を円滑に行うことができる。なお、本発明では、物流用容器１だけでなく、物流用容器１を搬送するパレットにも適用できるものであり、このため、ＩＣタグ５０がパレットの外面に貼り付けられる。
【００４０】
図１１は、販売会社の物流センター８２における検品作動の一例を示している。物流センター８２には、検品を行うためのリーダー・ライター５１が物流センター８の入口あるいは屋根等に設置されている。このリーダー・ライター５１は、モニター５２に接続されており、モニター５２が検品結果を可視表示する。物流用容器１はパレット５４上に整列された状態でトラック５３によって搬送される。搬送された物流用容器１はパレット５４と共にトラック５３からリーダー・ライター５１の下方に荷下ろしされる。
【００４１】
パレット５４上に整列されて荷下ろしされた物流用容器１は、リーダー・ライター５１から離れた位置にあっても長距離通信可能なＵＨＦ帯ＩＣタグ５０が取り付けられているため、リーダー・ライター５１はその情報を確実に読み取ることができ、迅速に検品することができる。検品後の物流用容器１は、リフター５５によって搬送され、検品及び納入が終了する。このようにＵＨＦ帯ＩＣタグ５０を用いることにより、整列状態での検品及びリーダー・ライター５１から離れた場所での検品が可能となる。従って、検品作業を迅速に行うことができる。
【００４２】
図３は本発明の第２実施形態を示す。この実施形態においても、ＩＣタグ２Ａ及びＩＣタグ３Ａが物流用容器の外面やパレットの外面に貼り付けられることにより製品や部品の検品に使用される。検品に際しては、物流用容器やパレットが横並び状の整列状態となり、この整列によって一方のＩＣタグ２Ａ及び他方のＩＣタグ３Ａは表面が重ね合わせられた状態となる。符号Ｚは、ＩＣタグ２Ａ、３Ａを線対称位置に配置した場合の線対称軸であり、この線対称軸Ｚに沿って折り曲げることにより、ＩＣタグ２Ａ，３Ａは上下及び左右の方向が同じとなって表面が相互に重なり合い、物流用容器やパレットを横並び状に整列させたときの重なり合い状態と同様となる。
【００４３】
一方のＩＣタグ２Ａにおいて、そのアンテナ２２のパターンはＩＣチップ２３に対する上下位置に形成されるものであり、ＩＣチップ２３の上下位置に対して複数段の櫛歯状パターンとなって配置されている。これに対し、他方のＩＣタグ３Ａにおけるアンテナ３２のパターンは、ＩＣチップ３３の上下に矩形状となって形成される。矩形状のアンテナ３２は一方のＩＣタグ２Ａの櫛歯状アンテナ２２よりも幅広で上下方向に長くなっている。このような２つのＩＣタグ２Ａ及び３Ａの表面が重ね合わせられても、一方のＩＣタグ２Ａのアンテナ２２は他方のＩＣタグ３Ａのアンテナ３２に囲まれてアンテナ３２の内方に位置する。又、このとき、アンテナ２２とアンテナ３２とは交差する部分も存在しない。このため、アンテナ２２，３２が重なり合うことがない。従って、アンテナ２２，３２の送信や受信に支障が生じることがなく、安定した送受信を行うことができ、ＩＣタグ２Ａ，３Ａへのデータの書き込みやデータの読み取りを確実に行うことができる。
【００４４】
図４は本発明の第３実施形態を示し、ＩＣタグ２Ｂ及びＩＣタグ３Ｂが物流用容器の外面やパレットの外面に貼り付けられる。そして、物流用容器やパレットが横並び状の整列状態となることにより一方のＩＣタグ２Ｂ及び他方のＩＣタグ３Ｂは表面が重ね合わせられた状態となる。符号Ｚは、ＩＣタグ２Ｂ、３Ｂを線対称位置に配置した場合の線対称軸であり、線対称軸Ｚに沿って折り曲げることにより、ＩＣタグ２Ｂ，３Ｂは上下及び左右の方向が同じとなった状態で表面が相互に重なり合う。従って、物流用容器やパレットを横並び状に整列させたときの重なり合い状態と同様となる。
【００４５】
この実施形態において、一方のＩＣタグ２Ｂには、ＩＣチップ２３を中心にした上下位置にクランク状パターンのアンテナ２２が形成されている。他方のＩＣタグ３Ｂにも、実線で示すようにＩＣチップ３３を中心にした上下位置にクランク状パターンのアンテナ３２が形成されている。これらのアンテナ２２及び３２は同一の長さで、且つ同じ長さ位置で屈曲するように形成されるものであり、ＩＣタグ２Ｂ側のアンテナ２２に対し、ＩＣタグ３Ｂ側のアンテナ３２は同じ方向に屈曲している。従って、アンテナ２２及び３２は線対称軸Ｚに対して非対称となっている。このような配置では、上下及び左右の方向を同じにした状態でＩＣタグ２Ｂ、３Ｂの表面が重ね合わせられても、アンテナ２２，３２が相互に重なり合うことがなく、送信や受信に支障を生じることがない。
【００４６】
図４において、鎖線３２ｄのパターンはＩＣタグ３Ｂ側に形成されたアンテナであり、ＩＣタグ２Ｂ側のアンテナ２２と線対称位置となるように形成されている。このような線対称位置のアンテナ３２ｄでは、ＩＣタグ２Ｂ、３Ｂを重ね合わせたとき、アンテナ２２，３２ｄのほとんどが相互に重なり合った状態となる。このように重なり合うことにより電波の送信や受信に支障となるため好ましくない。
【００４７】
図５は本発明の第４実施形態を示す。ＩＣタグ２Ｃ及びＩＣタグ３Ｃが物流用容器の外面やパレットの外面に貼り付けられる。そして、物流用容器やパレットが横並び状の整列状態となることにより、一方のＩＣタグ２Ｃ及び他方のＩＣタグ３Ｃは表面が重ね合わせられる。符号Ｚは、ＩＣタグ２Ｃ、３Ｃを線対称位置に配置した場合の線対称軸であり、線対称軸Ｚに沿って折り曲げることにより、ＩＣタグ２Ａ，３Ａは上下及び左右方向が同じとなった状態で表面が相互に重なり合う。従って、物流用容器やパレットを横並び状に整列させたときの重なり合いと同様となる。
【００４８】
この実施形態における一方のＩＣタグ２Ｃには、ベースシート２１の左側上部に角型渦巻き状パターンのアンテナ２２及びアンテナ２２に接続されたＩＣチップ２３が設けられている。また、他方のＩＣチップ３Ｃには、右側下部に角型渦巻き状パターンのアンテナ３２及びアンテナ３２に接続されたＩＣチップ３３が設けられている。このような配置構造において、上下及び左右方向を同じにした状態でＩＣタグ２Ｃ及び２Ｄの表面を重ね合わせても、線対称軸Ｚに対して非対称であり、しかもアンテナ２２、３２が離れているため、相互に重なり合うことがない。従って、アンテナ２２、３２による電波の送信や受信を円滑に行うことができ、確実な送受信が可能となる。
【００４９】
図６は本発明の第５実施形態を示す。ＩＣタグ２Ｄ及びＩＣタグ３Ｄが物流用容器の外面やパレットの外面に貼り付けられる。そして、物流用容器やパレットが横並び状の整列状態となることにより、一方のＩＣタグ２Ｄ及び他方のＩＣタグ３Ｄの表面が重ね合わせられる。符号Ｚは、ＩＣタグ２Ｄ、３Ｄを線対称位置に配置した場合の線対称軸であり、線対称軸Ｚに沿って折り曲げることにより、ＩＣタグ２Ｄ、３Ｄは上下及び左右の方向が同じとなった状態で表面が相互に重なり合う。従って、物流用容器やパレットを横並び状に整列させたときの重なり合い状態と同様となる。
【００５０】
一方のＩＣタグ２Ｄには、ベースシート２１の中央よりも左側に位置した部分にＩＣチップ２３が配置され、ＩＣチップ２３には角型渦巻き状パターンとなったアンテナ２２が連結されている。他方のＩＣタグ３Ｄも同様であり、ベースシート２１の中央よりも左側に位置した部分にＩＣチップ３３が配置され、このＩＣチップ３３に角型渦巻き状パターンとなったアンテナ３２が連結されている。アンテナ２２及び３２は略同じ大きさとなるように形成されている。このように渦巻き状パターンのアンテナ２２、３２がベースシート２１、３１の同じ側に配置されることにより、上下及び左右の方向を同じにした状態でＩＣタグ２Ｄ、３Ｄの表面を重ね合わせても、アンテナ２２、３２が相互に重なり合うことがない。このため、ＩＣタグ２Ｄ、３Ｄの送受信に支障となることがない。
【００５１】
図６において、鎖線で示すパターンアンテナ３２ｃを他方のＩＣチップに形成した場合、このアンテナ３２ｃはＩＣタグ２Ｄ側のアンテナ２２と線対称位置となる。このような線対称位置のアンテナ３２ｃでは、ＩＣタグ２Ｂ、３Ｂを重ね合わせたとき、アンテナ２２，３２ｃのほとんどが相互に重なり合った状態となるため、電波の送信や受信の支障となって好ましくない。
【００５２】
図７は本発明の第６実施形態を示す。ＩＣタグ２Ｅ及びＩＣタグ３Ｅが物流用容器の外面やパレットの外面に貼り付けられ、物流用容器やパレットが横並び状の整列状態となることにより一方のＩＣタグ２Ｅ及び他方のＩＣタグ３Ｅの表面が重ね合わせられる。図７において、符号Ｚは、ＩＣタグ２Ｅ、３Ｅを線対称位置に配置した場合の線対称軸であり、線対称軸Ｚに沿って折り曲げることによりＩＣタグ２Ｅ、３Ｅの表面が相互に重なり合うため、物流用容器やパレットを横並び状に整列させたときの重なり合い状態と同様となる。
【００５３】
ＩＣタグ２Ｅ及び３Ｅは、ベースシート２１，３１上にＩＣチップ２３、３３及びアンテナ２２、３２が設けられることにより構成されている。一方のＩＣタグ２Ｅにおいては、ＩＣチップ２３の上下位置にアンテナ２２が形成されている。それぞれのアンテナ２２はＩＣチップ２３に近接した位置に設けられている。これらのアンテナ２２は、ＩＣチップ２３に近接した上下位置で、左右の横方向に伸びると共に左右の横方向への屈曲を複数繰り返した複数段の櫛歯状パターンとなっている。
【００５４】
他方のＩＣタグ３Ｅにおいては、ＩＣチップ３３の左右位置にアンテナ３２が形成されている。ＩＣタグ３Ｅのそれぞれのアンテナ３２は、ＩＣチップ３３から左右の方向に直線状に伸びる脚状パターン部３２ｍと、脚状パターン部３２ｍの先端部分で上下方向に伸びると共に上下方向への屈曲を複数繰り返した複数段の櫛歯状パターン部３２ｎとを備えている。脚状パターン部３２ｍは、一方のＩＣタグ２Ｅのアンテナ２２の横方向長さよりも長くなるように設定される。このようなパターンとなっていることにより、アンテナ３２は線対称軸Ｚに対し、アンテナ２２と非対称となっているのに加えて、アンテナ３２はＩＣタグ２Ｅのアンテナ２２の形成領域の外側に位置する。
【００５５】
図７に示すアンテナの配置状態で、上下及び左右の方向を同じにしてＩＣタグ２Ｅ、３Ｅを重ね合わせると、アンテナ２２とアンテナ３２とが相互に重なり合うことがない。従って、アンテナ２２、３２による電波の送信や受信を円滑に行うことができ、確実な送受信が可能となる。
【００５６】
図８は、本発明の第７実施形態を示す。ＩＣタグ２Ｆ及び３Ｆが物流用容器の外面やパレットの外面に貼り付けられ、物流用容器やパレットが横並び状の整列状態となることにより一方のＩＣタグ２Ｅ及び他方のＩＣタグ３Ｅの表面が重ね合わせられる。図８において、符号ＺはＩＣタグ２Ｅ、３Ｅを線対称位置に配置した場合の線対称軸であり、線対称軸Ｚに沿って折り曲げることによりＩＣタグ２Ｆ、３Ｆの表面が相互に重なり合う。これにより、物流用容器やパレットを横並び状に整列させたときの重なり合い状態と同様となる。
【００５７】
一方のＩＣタグ２Ｆにおいては、ＩＣチップ２３の上下位置にアンテナ２２が配置されている。それぞれのアンテナ２２はＩＣチップ２３から上下の方向に伸びる脚状パターン部２２ｍと、脚状パターン部２２ｍの先端部分で左右方向に伸びると共に左右方向への屈曲を複数繰り返した複数段の横櫛歯状パターン部２２ｎとを備えている。この場合、脚状パターン部２２ｍは、横櫛歯状パターン部２２ｎがＩＣチップ２３から十分に離れるように長くなっている。
【００５８】
他方のＩＣタグ３Ｆは、図７におけるＩＣタグ３Ｅと同様となっている。すなわち、ＩＣタグ３Ｅにおいては、ＩＣチップ３３の左右位置にアンテナ３２が形成され、それぞれのアンテナ３２は、ＩＣチップ３３から左右の方向に直線状に伸びる脚状パターン部３２ｍ及び脚状パターン部３２ｍの先端部分で上下方向に伸びると共に上下方向への屈曲を複数繰り返した複数段の縦櫛歯状パターン部３２ｎによって構成されている。ＩＣタグ３Ｆにおいても、脚状パターン部３２ｍは、縦櫛歯状パターン部３２ｎがＩＣチップ３３から十分に離れるように長くなって形成されるものである。
【００５９】
このようなパターンとなっていることにより、アンテナ２２及びアンテナ３２は線対称軸Ｚに対して非対称となっている。これに加えて、それぞれのＩＣタグ２Ｆ、３Ｆでは、脚状パターン部２２ｍ、３２ｍが長くなっているため、横櫛歯状パターン部２２ｍ、縦櫛歯状パターン部３２ｍがベースシート２１，３１の外縁に接近した位置となっている。このようなＩＣタグ２Ｆ、３Ｆを、上下及び左右の方向を同じにして重ね合わせると、アンテナ２２とアンテナ３２とが相互に重なり合うことがない。従って、アンテナ２２、３２による電波の送信や受信を円滑に行うことができ、確実な送受信が可能となる。
【００６０】
図９は本発明の第８実施形態を示す。この実施形態における一方のＩＣタグ２２Ｅは、ベースシート２１の中央のＩＣチップ２３と、ＩＣチップ２３に接続された２つのアンテナ２２を有している。２つのアンテナ２２は、矩形状となっていると共にＩＣチップ２３を挟んだパターンに形成されている。
【００６１】
他方のＩＣタグ３Ｅは、ベースシート３１の中央のＩＣチップ３３に２つのアンテナ３２が接続された構造となっている。２つのアンテナ３２はＩＣチップ３３を左右から挟むパターンとなってＩＣチップ３３の両側に設けられている。また、２つのアンテナ３２は上下方向に大きく延びると共に、左右方向にも大きく延びており、これにより一方のＩＣタグ２Ｅのアンテナ２２を十分に包み込むことが可能な大きさとなっている。
【００６２】
このようなＩＣタグ２Ｅ及びＩＣタグ３Ｅの上下及び左右方向を同じにした状態で２つのＩＣタグ２Ｅ、３Ｅの表面を重ね合わせた場合、ＩＣタグ２Ｅ側のアンテナ２２は、ＩＣタグ３Ｅ側のアンテナ３２に囲まれた状態となる。このとき、アンテナ２２及び３２は相互に交差する部分が発生するが、その他の大部分は相互に重なり合うことがない。このようにアンテナ２２，３２の一部が重なり合っていても、大部分は重なっていない。このため、アンテナ２２及び３２は電波の送信及び受信を確実に行うことができる。従って、電波の送信や受信の支障となることがなく、ＩＣチップ２３，３３へのデータの読み取りや書き込みを行うことができる。
【００６３】
以上のようなアンテナ２２，３２の部分的な重なりは、重なっていない部分に対して極力少ないことが好ましく、アンテナ２２，３２の全長（又は全面積）をＸとした場合、０．０１Ｘ（１％）〜０．２Ｘ（２０％）が良好であり、０．０１Ｘ（１％）〜０．１０Ｘ（１０％）の範囲がさらに良好である。
【００６４】
本発明は、以上の実施形態に限定されることなく、種々変形が可能である。例えば、２つのＩＣタグのアンテナは相互に重なり合わなければ、図示した実施形態以外のパターンとすることが可能である。
【産業上の利用可能性】
【００６５】
本発明の無線ＩＣタグは、容器や容器積載用のパレット外面に取り付けられ、横並び状で隣接する容器やパレットの無線ＩＣタグと重なっても、アンテナに対して確実に送受信できるため、大量の製品や部品を流通させる物流システムに用いるのに適している。
【図面の簡単な説明】
【００６６】
【図１】本発明の第１実施形態を線対称的に配置した正面図である。
【図２】ＩＣチップの内部構造を示すブロック図である。
【図３】本発明の第２実施形態を線対称的に配置した正面図である。
【図４】本発明の第３実施形態を線対称的に配置した正面図である。
【図５】本発明の第４実施形態を線対称的に配置した正面図である。
【図６】本発明の第５実施形態を線対称的に配置した正面図である。
【図７】本発明の第６実施形態を線対称的に配置した正面図である。
【図８】本発明の第７実施形態を線対称的に配置した正面図である。
【図９】本発明の第８実施形態を線対称的に配置した正面図である。
【図１０】物流システムの一例を示すブロック図である。
【図１１】物流センターにおける動きを示す斜視図である。
【図１２】ＩＣタグを取り付けた物流用容器を示す斜視図である。
【図１３】ＩＣタグを取り付けた別の物流用容器を示す斜視図である。
【図１４】物流用容器を整列させた状態を示す斜視図である。
【図１５】パレットを整列させた状態を示す斜視図である。
【図１６】従来のＩＣタグの一例を示す正面図である。
【符号の説明】
【００６７】
１  １００  １１０  物流用容器
２、２Ａ、２Ｂ、２Ｃ、２Ｄ、２Ｅ、２F、２G  一方のＩＣタグ
３、３Ａ、３Ｂ、３Ｃ、３Ｄ、３Ｅ、３F、３G  他方のＩＣタグ
２１、３１  ベースシート
２２、３２  アンテナ
２３、３３  ＩＣチップ
３００  パレット
【国際調査報告】
2008029534.tif 000019
2008029534.tif 000020
2008029534.tif 000021
2008029534.tif 000022